(57)【要約】【課題】掛け紐を取り付けてマスク本体としても使用でき、ティッシュペーパーとしても使用できるマスク兼用ティッシュペーパー及びティッシュペーパー型マスクを提供する。【解決手段】少なくとも２本の相対する平行な折り目２ａ、３ａから形成される立体的なプリーツ部２，３を有する矩形状のティッシュペーパーから構成され、折り目に直交する両辺４の端部が該折り目を含んでそれぞれヒートシール６され、端部側に耳掛け用の掛け紐２０を着脱自在に取り付けてマスク本体として使用されるマスク兼用ティッシュペーパー１０である。【選択図】図４
2011062269.tif 000002
【特許請求の範囲】
【請求項１】
少なくとも２本の相対する平行な折り目から形成される立体的なプリーツ部を有する矩形状のティッシュペーパーから構成され、前記折り目に直交する両辺の端部が該折り目を含んでそれぞれヒートシールされ、前記端部側に耳掛け用の掛け紐を着脱自在に取り付けてマスク本体として使用されるマスク兼用ティッシュペーパー。
【請求項２】
前記ヒートシール部の幅が２〜６ｍｍである請求項１記載のマスク兼用ティッシュペーパー。
【請求項３】
ＪＩＳ−Ｓ３１０４に規定するＭＤ方向の湿潤時の引張強さが１．４〜４．１Ｎ／25mm、ＣＤ方向の湿潤時の引張強さが０．５〜２．１Ｎ／25mmであり、
ＪＩＳ−Ｓ３１０４に規定するＭＤ方向の乾燥時の引張強さが５．２〜１０．３Ｎ／25mm、ＣＤ方向の乾燥時の引張強さが１．８〜５．２Ｎ／25mmであり、
ＪＩＳ−Ｓ３１０４に規定する吸水度が８秒以下／0.1mlであり、
ＪＩＳ−Ｌ１０９６に規定する通気度が２１〜５２ｃｍ３／ｃｍ２／ｓである請求項１又は２記載のマスク兼用ティッシュペーパー。
【請求項４】
前記プリーツ部は前記両辺に沿う方向の中央部の２箇所に平行に設けられ、かつ各プリーツ部の折り目同士が間隔を開けて対向している請求項１〜３のいずれか記載のマスク兼用ティッシュペーパー。
【請求項５】
前記プリーツ部における前記ティッシュペーパーの重ね枚数が他の部分の前記ティッシュペーパー重ね枚数より多くなっている請求項１〜４のいずれか記載のマスク兼用ティッシュペーパー。
【請求項６】
請求項１〜５のいずれか記載のマスク兼用ティッシュペーパーからなるマスク本体と、前記マスク兼用ティッシュペーパーの前記端部側を着脱自在に挟み込む挟持部を両端に備えた耳掛け用の掛け紐とを備えたティッシュペーパー型マスク。
【発明の詳細な説明】
【技術分野】
【０００１】
この発明は、掛け紐によって使用者に装着されるマスクの本体部分、及びマスクに関する。
【背景技術】
【０００２】
従来から周期的にインフルエンザは流行していたが、近年、鳥や豚インフルエンザ等新種のインフルエンザが世界的に大流行し、一時的にマスク等ウィルス対策用品が品切れになる事態が生じている。又、春先になると花粉症への対策としてマスクや高級ティシュペーパーの需要が増大している。
通常、マスクは当て布となる矩形状のマスク本体と、マスク本体の両端にそれぞれ取り付けられた掛け紐とからなり、掛け紐を使用者の耳に掛けて使用される。このマスク本体の素材としては、１）ガーゼ(布)、２）不織布、３）紙の３種類が挙げられるが、使い捨てで耐久性を有し、大量生産可能な不織布製マスクが主流となっている。又、マスク本体の形状として、顔面に合せた立体形状に成型したものの他、シート状であるがプリーツを設けて顔面に密着するようにしたものがある（特許文献１参照）。
又、急にマスクが必要な状況になった場合、マスクが販売されていなかったり品切れとなることがある。そこで、手持ちのハンカチ等の布の両端に鰐口付きのゴム紐を挟んで耳掛けとし、緊急的にマスクを作ることができる技術が開示されている（特許文献２参照）。
【先行技術文献】
【特許文献】
【０００３】
【特許文献１】特開２００７−０６１５３６号公報
【特許文献２】特開２００６−１６７３８９号公報
【発明の概要】
【発明が解決しようとする課題】
【０００４】
ところで、インフルエンザや花粉症等に罹患した場合、マスクを装着していても鼻をかむ必要が度々生じ、ティシュペーパーの携帯が必須となっている。従って、このような場合には、外出時等に常にマスクとティシュペーパーの携帯の有無を確認する必要が生じていた。
一方、ティシュペーパー自身は柔らかいため、特許文献２記載のゴムを単にティシュペーパーの両端に取り付けてもティシュペーパーが破れてしまうので、ティシュペーパーからマスクを作るのは難しい。
従って本発明は、掛け紐を取り付けてマスク本体としても使用でき、ティッシュペーパーとしても使用できるマスク兼用ティッシュペーパー及びティッシュペーパー型マスクの提供を目的とする。
【課題を解決するための手段】
【０００５】
上記課題を解決するため、本発明のマスク兼用ティッシュペーパーは、少なくとも２本の相対する平行な折り目から形成される立体的なプリーツ部を有する矩形状のティッシュペーパーから構成され、前記折り目に直交する両辺の端部が該折り目を含んでそれぞれヒートシールされ、前記端部側に耳掛け用の掛け紐を着脱自在に取り付けてマスク本体として使用される。
このようにすると、両辺の端部が折り目を含んでそれぞれヒートシールされるため、ヒートシール部のうち、少なくとも各プリーツ部に相当する位置では、３枚以上のティッシュペーパーが重ねられて強度が高くなっている。従って、これら複数枚のティッシュペーパーが重ねられて強度が向上したヒートシール部を掛け紐の挟持部で挟持すれば、ティッシュペーパーが破れることなく保持され、マスクとして使用することができる。又、マスクとティシュペーパーを別個に携帯せずとも、マスク兼用ティッシュペーパーで両者を兼用できる。
【０００６】
前記ヒートシール部の幅が２〜６ｍｍであってもよい。
【０００７】
前記マスク兼用ティッシュペーパーにおいて、ＪＩＳ−Ｓ３１０４に規定するＭＤ方向の湿潤時の引張強さが１．４〜４．１Ｎ／25mm、ＣＤ方向の湿潤時の引張強さが０．５〜２．１Ｎ／25mmであり、ＪＩＳ−Ｓ３１０４に規定するＭＤ方向の乾燥時の引張強さが５．２〜１０．３Ｎ／25mm、ＣＤ方向の乾燥時の引張強さが１．８〜５．２Ｎ／25mmであり、ＪＩＳ−Ｓ３１０４に規定する吸水度が８秒以下／0.1mlであり、ＪＩＳ−Ｌ１０９６に規定する通気度が２１〜５２ｃｍ３／ｃｍ２／Ｓであってもよい。
【０００８】
前記プリーツ部は前記両辺に沿う方向の中央部の２箇所に平行に設けられ、かつ各プリーツ部の折り目同士が間隔を開けて対向していてもよい。
前記プリーツ部における前記ティッシュペーパーの重ね枚数が他の部分の前記ティッシュペーパー重ね枚数より多くなっていてもよい。
【０００９】
本発明のティッシュペーパー型マスクは、前記マスク兼用ティッシュペーパーからなるマスク本体と、前記マスク兼用ティッシュペーパーの前記端部側を着脱自在に挟み込む挟持部を両端に備えた耳掛け用の掛け紐とを備えている。
このようにすると、掛け紐は何回も使用できるので、廃棄物の減少とコスト削減が可能となる。
【発明の効果】
【００１０】
この発明によれば、掛け紐を取り付けてマスク本体としても使用でき、ティッシュペーパーとしても使用できるマスク兼用ティッシュペーパー及びティッシュペーパー型マスクが得られる。
【図面の簡単な説明】
【００１１】
【図１】本発明の実施形態に係るマスク兼用ティッシュペーパーの外観を示す平面図である。
【図２】図１のＩＩ−ＩＩ線に沿う断面図である。
【図３】掛け紐を取り付けてマスクとして使用したときの、マスク兼用ティッシュペーパーの断面図である。
【図４】マスク兼用ティッシュペーパーに掛け紐を取り付けたティッシュペーパー型マスクの平面図である。
【図５】掛け紐の挟持部の構成を示す図である。
【発明を実施するための形態】
【００１２】
以下、本発明の実施形態に係るマスク兼用ティッシュペーパーについて説明する。
図１は、本発明の実施形態に係るマスク兼用ティッシュペーパー１０の外観を示す平面図である。なお、図１はマスク兼用ティッシュペーパー１０の顔側の面を示している。
マスク兼用ティッシュペーパー１０は、２本の相対する平行な折り目２ａ（１本のみ図示）から形成される立体的なプリーツ部２と、２本の相対する平行な折り目３ａ（１本のみ図示）から形成される立体的なプリーツ部３とを有する矩形状のティッシュペーパーから構成されている。各折り目２ａ、３ａは、マスク兼用ティッシュペーパー１０の長辺（図１の左右方向）に沿って延びている。そして、折り目２ａ、３ａに直交する両短辺（図１の上下方向）４の端部が該折り目を含んでそれぞれヒートシールされ、幅ｗのヒートシール部６を形成している。
又、各プリーツ部２，３は短辺４に沿う方向の中央線Ｃの上下に、それぞれ平行に設けられ、かつ各プリーツ部の折り目２ａ、３ａ同士が間隔Ｇを開けて対向している。
なお、この実施形態では、マスク兼用ティッシュペーパー１０は、針葉樹の晒しクラフトパルプ（ＮＢＫＰ）を６０％以上含む６プライのティシュペーパーであり、折り上がり寸法は長辺の長さが１７０〜２００ｍｍ、短辺４の長さが８０〜１２０ｍｍである。
【００１３】
ここで、後述する掛け紐を取り付けてマスクとして使用するため、マスク兼用ティッシュペーパー１０は、
ＪＩＳ−Ｓ３１０４に規定するＭＤ方向の湿潤時の引張強さ（ＭＤＷＥＴ強度）が１．４〜４．１Ｎ／25mm、ＣＤ方向の湿潤時の引張強さ（ＣＤＷＥＴ強度）が０．５〜２．１Ｎ／25mmであり、
ＪＩＳ−Ｓ３１０４に規定するＭＤ方向の乾燥時の引張強さ（ＭＤＤＲＹ強度）が５．２〜１０．３Ｎ／25mm、ＣＤ方向の乾燥時の引張強さ（ＣＤＤＲＹ強度）が１．８〜５．２Ｎ／25mmであり、
ＪＩＳ−Ｓ３１０４に規定する吸水度が８秒以下／0.1mlであり、
ＪＩＳ−Ｌ１０９６に規定する通気度が２１〜５２ｃｍ３／ｃｍ２／ｓ（秒）、であることが好ましい。
【００１４】
ＭＤＷＥＴ強度及びＣＤＷＥＴ強度が上記した下限値未満の場合、マスクとしての使用時に咳やくしゃみによる唾液等でマスク兼用ティッシュペーパー１０の破れが生じやすくなり、上限値を超えるとマスク兼用ティッシュペーパー１０が硬くなり、ティシュペーパーとしての使用感や、マスクとしてのフィット性が損なわれる場合がある。
ＭＤ乾燥強度及びＣＤ乾燥強度が上記した下限値未満の場合は、後述する掛け紐を取り付けた際にマスク兼用ティッシュペーパー１０が破れやすくなり、上限値を超えるとマスク兼用ティッシュペーパー１０が硬くなり、ティシュペーパーとしての使用感や、マスクとしてのフィット性が損なわれる。
通気度が上記した下限値未満では通気性が悪く、マスクとして長時間使用すると息苦しく感じる恐れがあり、上限値を超えると通気性が良くなりすぎて、マスク本来の機能である外部からの花粉やウィルスの侵入を十分に阻止できない恐れがある。
吸水度が８秒を超えると、ティシュペーパーとして鼻をかんだときや、マスクとして使用して咳等をしたときに、鼻水や唾液がシートにすぐに吸収されず、使用者に不快感を与える恐れがある。
【００１５】
図２は、図１のＩＩ−ＩＩ線に沿う断面図である。マスク兼用ティッシュペーパー１０の両長辺の端部がそれぞれ顔側Ｆに向かって折り返されている。又、プリーツ部２は、マスク兼用ティッシュペーパー１０の上部から中央線Ｃ付近で顔側Ｆの反対側に折り返される第１の折り目２ａ１と、第１の折り目２ａ１で折り返された部分が途中で顔側Ｆに折り返される第２の折り目２ａ２から形成される。同様に、プリーツ部３は、マスク兼用ティッシュペーパー１０の下部から中央線Ｃ付近で顔側Ｆの反対側に折り返される第１の折り目３ａ１と、第１の折り目３ａ１で折り返された部分が途中で顔側Ｆに折り返される第２の折り目３ａ２から形成される。第２の折り目２ａ２及び第２の折り目３ａ２で折り返された部分は繋がっている。
なお、プリーツ部２、３以外のマスク兼用ティッシュペーパー１０が折り返されている必要はないが、プリーツ部２、３以外の部分をも折り返すことで、後述するヒートシール部６の強度が向上し、マスクとして使用するために掛け紐２０を取り付けた際、マスク兼用ティッシュペーパー１０が破れ難くなる。
【００１６】
ここで、折り目２ａ、３ａ同士の間隔Ｇとは、各プリーツ部２，３が有する２本以上の折り目２ａ、３ａのうち、同じ面に対向している第１の折り目２ａ１、３ａ１同士、及び第２の折り目２ａ２、３ａ２同士の間隔をいう。この実施形態では、第１の折り目２ａ１、３ａ１同士の間隔が最も狭く、この間隔をＧとする。このように、同じ面に対向している折り目同士に間隔を設けることで、後述するヒートシールの際に折り目同士が接触してヒートシールを妨げることが無く、ヒートシール部の強度が向上する。間隔Ｇは１〜５ｍｍであることが好ましくより好ましくは、２〜３ｍｍである。
又、プリーツ部２，３におけるティッシュペーパーの重ね枚数は３枚であり、マスク兼用ティッシュペーパー１０の両長辺の端部のティッシュペーパーの重ね枚数は２枚であり、プリーツ部２，３においてより多くのティッシュペーパーが重ねられている。これにより、使用者の口が当りやすいマスク兼用ティッシュペーパー１０の中央部付近で、プリーツ部２，３が使用者のくしゃみや咳等による飛沫成分をしっかりと吸収すると共に、飛沫等で濡れることによるマスク兼用ティッシュペーパー１０の強度低下を抑制する。
【００１７】
図３は、後述する掛け紐を取り付けてマスクとして使用したときの、マスク兼用ティッシュペーパー１０の断面図を示す。図３は、図２に相当する断面図である。
マスク兼用ティッシュペーパー１０をマスクとして装着し、プリーツ部２，３を広げると、マスク兼用ティッシュペーパー１０が円弧状に広がり、使用者の顔面に合った形状になるため、口元に空間ができ、より着用感が向上する。
【００１８】
次に、図４を参照し、マスク兼用ティッシュペーパー１０に掛け紐２０を取り付けたティッシュペーパー型マスク１００の構成について説明する。図４は、ティッシュペーパー型マスク１００の顔側の面を示している。
ティッシュペーパー型マスク１００は、マスク兼用ティッシュペーパー１０と、マスク兼用ティッシュペーパー１０の両短辺４の端部側を着脱自在に挟み込む挟持部２２を両端に備えた耳掛け用の掛け紐２０とを有している。掛け紐２０は、ゴム紐からなる紐部２１の両端に後述する挟持部２２が接続されて構成されている。
【００１９】
本発明においては、マスク兼用ティッシュペーパー１０の両短辺４の端部が折り目２ａ、３ａを含んでそれぞれヒートシールされ、ヒートシール部６を形成している。このため、ヒートシール部６のうち、少なくとも各プリーツ部２，３に相当する位置では、３枚のティッシュペーパーが重ねられて強度が高くなっている。又、この例では、ヒートシール部６のうち各プリーツ部２，３以外の位置（つまり、マスク兼用ティッシュペーパー１０の両長辺の端部）においても、２枚のティッシュペーパーが重ねられて強度が高くなっている。従って、これら複数枚のティッシュペーパーが重ねられて強度が向上したヒートシール部６を掛け紐２０の挟持部２２で挟持すれば、ティッシュペーパーが破れることなく保持され、マスクとして使用することができる。
【００２０】
なお、ヒートシールが確実に行われるよう、ヒートシール部６の幅ｗ（折り目２ａ、３ａに平行な方向）が２〜６ｍｍであるのがよい。幅ｗが２ｍｍ未満であるとヒートシールが不完全となり、６ｍｍを超えるとプリーツ部２，３を広げ難くなる場合がある。
又、ヒートシール温度は２３０〜２８０℃が好ましく、より好ましくは２５０±１０℃である。従来、ティッシュペーパーをヒートシールすることは無く、単なるエンボス加工が行われていたが、上記した高温であればティッシュペーパーをヒートシールできることが本発明者らの検討により判明している。
【００２１】
図５は、挟持部２２の構成を示す。挟持部２２は、ほぼ同一な台形状の樹脂製の片部２２Ａ、２２Ｂを底辺で接続してなり、該底辺を折り返し線Ｒとして折り返すことで、各片部２２Ａ、２２Ｂの間にマスク兼用ティッシュペーパー１０を挟持するようになっている。各片部２２Ａ、２２Ｂはそれぞれ１８０度対称の位置で、折り返し線Ｒで接続されている。
片部２２Ａの中央膨出部２２Ａ２に紐部２１の一端が係止し、片部２２Ａの中央はくり貫かれて開口２２Ｈを形成している。そして、各片部２２Ａ、２２Ｂを折り返した際に中央膨出部２２Ａ２が開口２２Ｈに収容されるようになっている。
片部２２Ａの先端には片部２２Ａの内面（片部２２Ｂと対向する面）から突出する突部２２Ａ１が形成され、突部２２Ａ１の内側側壁には凹部２２Ａ４が設けられている。一方、片部２２Ｂの一片には外側に突出する係止片２２Ｂ３が設けられ、各片部２２Ａ、２２Ｂを折り返した際に係止片２２Ｂ３が突部２２Ａ１を乗り越え、凹部２２Ａ４に収容されるようになっている。
同様に、片部２２Ｂの先端には片部２２Ｂの内面（片部２２Ａと対向する面）から突出する突部２２Ｂ１が形成され、突部２２Ｂ１の内側側壁には凹部２２Ｂ４が設けられている。一方、片部２２Ａの一片には外側に突出する係止片２２Ａ３が設けられ、各片部２２Ａ、２２Ｂを折り返した際に係止片２２Ａ３が突部２２Ｂ１を乗り越え、凹部２２Ｂ４に収容されるようになっている。このようにして、各片部２２Ａ、２２Ｂが折り返された状態で保持され、各片部２２Ａ、２２Ｂ間にマスク兼用ティッシュペーパー１０を確実に挟持する。
【００２２】
本発明は上記した実施形態に限定されず、本発明の思想と範囲に含まれる様々な変形及び均等物に及ぶことはいうまでもない。例えば、マスク兼用ティッシュペーパーのプリーツ部の折り目は２本以上であればよく３本以上であってもよい。又、掛け紐や挟持部の構造も限定されず、挟持部はマスク兼用ティッシュペーパーの端部を着脱自在に挟み込むものであればよい。
【実施例】
【００２３】
以下、実施例を挙げて、本発明を具体的に説明するが、本発明は勿論これらの例に限定されるものではない。
【００２４】
針葉樹晒しクラフトパルプ（ＮＢＫＰ）７５質量％、及び広葉樹晒しクラフトパルプ（ＬＢＫＰ）２５質量％を原料パルプとし、坪量１３ｇ／ｍ２のシート（ティッシュペーパー）を抄紙した。このシートを３プライに重ねたものを用い、図１、図２に示すティッシュペーパー型マスク１０を作成した。
このティッシュペーパー型マスク１０に対し、ＪＩＳ−Ｓ３１０４「ティシュペーパー」の試験方法に準じて湿潤時の引張強さ、乾燥時の引張強さ、吸水度を測定した。同様に、ＪＩＳ−Ｌ１０９６「一般織物試験方法」の「８．２７章  通気性のフラジール形法」に準じ、ティッシュペーパー型マスク１０の通気度を測定した。
なお、原料パルプに加える湿潤紙力増強剤（荒川化学製ＣＡＭ−６）の添加量を、対パルプ０．２〜０．４質量％（固形分換算）の範囲で変えて、ティッシュペーパー型マスク１０の湿潤時の引張強さを変化させた。原料パルプに加える湿潤紙力増強剤の添加量が多いほど、湿潤時の引張強さは高くなる。又、各原料パルプの叩解度を、ワイヤパート手前の原料パルプの濾水度が４００〜５００ｍｌとなる範囲で変えて、ティッシュペーパー型マスク１０の乾燥時の引張強さ及び通気度を変化させた。
【００２５】
次に、このティッシュペーパー型マスク１０に対し、図４、図５に示す掛け紐２０を取り付けてティッシュペーパー型マスク１００を得た。
このティッシュペーパー型マスク１００を、モニター２０人に装着し、使用感を調査した。
得られた結果を表１〜表３に示す。
【００２６】
【表１】
2011062269.tif 000003
【００２７】
【表２】
2011062269.tif 000004
【００２８】
【表３】
2011062269.tif 000005
【００２９】
【表４】
2011062269.tif 000006
【００３０】
表１〜表４から明らかなように、マスク兼用ティッシュペーパー１０において、ＪＩＳ−Ｓ３１０４に規定するＭＤ方向の湿潤時の引張強さ（ＭＤＷＥＴ強度）が１．４〜４．１／25mm、ＣＤ方向の湿潤時の引張強さ（ＣＤＷＥＴ強度）が０．５〜２．１Ｎ／25mmであり、
ＪＩＳ−Ｓ３１０４に規定するＭＤ方向の乾燥時の引張強さ（ＭＤＤＲＹ強度）が５．２〜１０．３Ｎ／25mm、ＣＤ方向の乾燥時の引張強さ（ＣＤＤＲＹ強度）が１．８〜５．２Ｎ／25mmであり、
ＪＩＳ−Ｓ３１０４に規定する吸水度が８秒以下／0.1mlであり、
ＪＩＳ−Ｌ１０９６に規定する通気度が２１〜５２ｃｍ３／ｃｍ２／ｓである発明品１〜９の場合、マスクとしての使用時に破れが生じず、ティシュペーパーとしての使用感や、マスクとしてのフィット性が損なわれなかった。又、マスクとして長時間使用しても息苦しく感じず、マスク本来の機能である外部からの花粉やウィルスの侵入を十分に阻止できた。
【００３１】
一方、マスク兼用ティッシュペーパー１０のＭＤＷＥＴ強度、ＣＤＷＥＴ強度、ＭＤＤＲＹ強度、ＣＤＤＲＹ強度、吸水度、及び通気度のうち、いずれか１つでも上記範囲を外れた場合、マスクとしての使用時に破れが生じたり、ティシュペーパーとしての使用感や、マスクとしてのフィット性が損なわれた。又、マスクとして長時間使用するとなかった。
【符号の説明】
【００３２】
２、３                    プリーツ部
２ａ、３ａ                折り目
４                        折り目に直交する辺
６                        ヒートシール（部）
８                        接着体
９                        バックシート
１０                      マスク兼用ティッシュペーパー
２０                      掛け紐
２１                      紐部
２２                      挟持部
１００                    ティッシュペーパー型マスク
Ｃ                        短辺に沿う方向の中央線
Ｆ                        使用者の顔側
Ｇ                        各プリーツ部の折り目同士の間隔
ｗ                        ヒートシール部の幅
【図１】
2011062269.tif 000007
【図２】
2011062269.tif 000008
【図３】
2011062269.tif 000009
【図４】
2011062269.tif 000010
【図５】
2011062269.tif 000011